(57)【要約】【課題】容器体Ａ内の揮散液を揮散紙４を介して揮散させる容器であって、簡単な構造で、しかも多段階の揮散液量の調整を簡単に行える揮散液用容器を提案するものである。【解決手段】容器体Ａ上に装着した本体２上端開口を蓋体３により開閉可能に閉塞したキャップＢを設け。また、本体２内に一端部を、蓋体３に他端部を、それぞれ固定して、蓋体３の開閉に伴い伸縮が可能な折り畳み状態で揮散紙４を装着した。また、蓋体３を複数の開閉角度での状態維持を可能に構成した維持機構ａを設けた。【選択図】図１
2004121314.tif 000002
【特許請求の範囲】
【請求項１】
容器体Ａ上に装着した本体２上端開口を蓋体３により開閉可能に閉塞したキャップＢと、容器体Ａ内の揮散液を揮散させる揮散紙４とを備え、上記揮散紙４は、上記本体２内に一端部を、上記蓋体３に他端部を、それぞれ固定して、蓋体３の開閉に伴い伸縮が可能な折り畳み状態で装着し、上記蓋体３の複数の開閉角度での状態維持を可能に構成した維持機構ａを設けてなることを特徴とする揮散液用容器。
【請求項２】
上記維持機構ａが、上記蓋体３を上記本体２に対して回動可能に連結する部位に於いて、正多角柱状の軸１２と、該軸１２外周に相対回動が可能に嵌合させるとともに、軸１２外周面と相似する正多角柱状の嵌合内面を有する開環状の軸受１３とで構成した維持機構である請求項１記載の揮散液用容器。
【発明の詳細な説明】
【０００１】
【発明の属する技術分野】
本発明は揮散液用容器に関する。
【０００２】
【従来の技術】
芳香剤や消臭剤などを収納して揮散させる容器において、揮散量の調整は空気が流通する開口部の面積を変えることで行われてきたが、揮散量の調整を充分に行うことが出来なかった。そこで、必要に応じて微弱な或いは強い揮散量を与えることができ、短時間で周囲の雰囲気を変化させることができる芳香剤容器が提案されている（例えば、特許文献１参照）。
【０００３】
これらは圧搾可能な胴部を有する容器体の口頸部に、支持板部上面に揮散紙を載置固定した固定部材を押し下げ可能に嵌着させるとともに、揮散紙裏面に上端を連結した吸い上げ芯を垂下させ、別に支持板部を貫通して上端の噴霧孔上方へ突設するとともに、下端の吸い上げパイプを垂下させ、収納芳香剤の揮散紙からの揮散と、容器体胴部の圧搾による噴霧孔からの噴霧とを可能としている。
【０００４】
また、同様の目的で、液状芳香剤を収納した容器体の変位位置に吸い上げ芯を垂設固定し、揮散紙と噴霧ポンプとを固定したキャップ状部材を、吸い上げ芯上面から揮散紙裏面に当接する如く容器体に着脱可能に装着して、揮散紙からの揮散と、ポンプからの噴霧とが可能としている（例えば、特許文献２参照）。
【０００５】
【特許文献１】
実開平７−２０９号公報（第２−７頁，図１）
【特許文献２】
実開平７−８８２号公報（第２−７頁，図１）
【０００６】
【発明が解決しようとする課題】
上記従来容器は構造が複雑となる嫌いがあり、また、揮散液量の調整も強い，弱い等の二通りの調整が基本的である。本発明は、この様な点に鑑みてなされたもので、簡単な構造で、しかも多段階の揮散液量の調整を簡単に行える揮散液用容器を提案するものである。
【０００７】
【課題を解決するための手段】
本請求項１発明の揮散液用容器は、上記課題を解決するため、容器体Ａ上に装着した本体２上端開口を蓋体３により開閉可能に閉塞したキャップＢと、容器体Ａ内の揮散液を揮散させる揮散紙４とを備え、上記揮散紙４は、上記本体２内に一端部を、上記蓋体３に他端部を、それぞれ固定して、蓋体３の開閉に伴い伸縮が可能な折り畳み状態で装着し、上記蓋体３の複数の開閉角度での状態維持を可能に構成した維持機構ａを設けてなることを特徴とする揮散液用容器として構成した。
【０００８】
また、請求項２発明の揮散液用容器は、上記維持機構ａが、上記蓋体３を上記本体２に対して回動可能に連結する部位に於いて、正多角柱状の軸１２と、該軸１２外周に相対回動が可能に嵌合させるとともに、軸１２外周面と相似する正多角柱状の嵌合内面を有する開環状の軸受１３とで構成した維持機構である請求項１記載の揮散液用容器として構成した。
【０００９】
【発明の実施の形態】
以下、本発明の実施例の形態を図面を参照して説明する。
【００１０】
本発明の揮散液用容器１は、揮散液を収納する容器体Ａ上に装着した筒状の本体２の上端開口を蓋体３により開閉可能に閉塞したキャップＢを備え、また、キャップＢ内に揮散液と連通させた揮散紙４を収納し、揮散紙４に吸い上げた揮散液を揮散させる如く構成したものである。
【００１１】
容器体Ａは、内部に芳香剤，消臭剤などの揮散性液体を収納する上端を開口したものであれば種々の形態のものを使用でき、図示例では、筒状の胴部５より縮径した口頸部（図示せず）を起立したボトルタイプの容器体Ａを採用している。
【００１２】
キャップＢは、上記した如く、容器体Ａ上に装着した筒状の本体２と、該本体上端開口を開閉可能に閉塞した蓋体３とから構成したものが使用され、内部に揮散紙４を収納する。また、本体２及び／又は蓋体３には窓孔を穿設して該窓孔から揮散液を揮散させる如く構成しても良い。図示例於いてキャップＢは、容器体Ａの胴部５上端部に下端部を嵌着させて本体２を容器体Ａ上に装着しており、周壁６に窓孔７を穿設している。また、蓋体３は、上記本体周壁６上端の上向き段部８に下端部を嵌合させる周壁９上端縁より頂壁１０を延設するとともに、周壁９後部下端を本体周壁６の後部上端に回動可能に連結している。
【００１３】
本発明では蓋体３の維持機構ａを備えている。維持機構ａは、蓋体３を複数の開閉角度でその状態維持を可能に構成したものであり、その具体的構造は種々選択できる。
【００１４】
維持機構ａの一例として、蓋体３を本体２に対して回動可能に連結する部位に於いて、正多角柱状の軸と、該軸外周面に相対回動が可能に嵌合させるとともに、軸外周面と相似する正多角柱状の嵌合内面を有する開環状の軸受とで構成したものが挙げられる。これらは軸或いは軸受をその対応する軸受或いは軸に対して強制的に回動させて、次に軸外周面及び軸受内面相互がピッタリフィットする位置に於いて安定的に維持される。この場合の正多角柱は正五角柱以上の多角柱が好ましく採用される。
【００１５】
例えば、図１及び図２に示す如く、本体周壁６の後部上端に凹設した一対の凹部１１内に正八角柱状の軸１２をそれぞれ掛け渡し、一方、蓋体３の周壁９後部下端より、それぞれ上記軸１２該当位置に一対の軸受１３を垂設している。各軸受１３は、下端を開いた開環状をなし、内面が軸１２にピッタリ嵌合する正八角柱状内面を備えており、従って、この場合閉状態から蓋体３を回動させれば、強制的に軸受１３が回動し、４５度回動した状態で再びピッタリ嵌合する状態となり安定した開蓋状態の維持を行える。従って、４５度の間隔で安定状態となる如く構成している。
【００１６】
また、維持機構ａの別構成として、円柱状の軸と、該軸外周に相対回動が可能に嵌合させた軸受とで構成したものも挙げられる。この場合には、任意の開閉角度で状態維持を行えるが、軸と軸受とを相互の回動が可能な程度に硬嵌めする必要がある。
【００１７】
揮散紙４は、容器体Ａ内の揮散液を吸収して表面より揮散させるためのもので、本発明では本体２内に一端部を、上記蓋体３に他端部を、それぞれ固定して、蓋体３の開閉に伴い伸縮が可能な折り畳み状態で装着している。揮散紙４の材質としては、従来からこの種容器の揮散紙に使用されているものが使用でき、例えば、紙、合成樹脂等が挙げられる。揮散紙４の大きさ或いは揮散紙４を折り畳む際の折曲部の数は、容器の大きさや蓋体３の許容開蓋角度などにより適宜選択することができ、特に限定されない。最大に開蓋した際に外れずに伸び、再び閉蓋した際に元の状態に縮む大きさ，折曲部の数であれば良い。
【００１８】
揮散紙４が容器体内の揮散液を吸収する手段としては、従来のこの種の容器で採用されている手段が使用でき、例えば、上端を容器体口頸部に臨ませるとともに、下端を容器体内下端部に垂下させて固定した吸水性の大きい吸い上げ芯の上端に、揮散紙の裏面を当接させて行う方法が挙げられる。また、揮散紙４の各端部の固定手段は、本体２或いは蓋体３に適宜設けることができ、例えば、揮散紙４周囲を固定する複数のフック状の固定手段や、揮散紙４表面を押さえる押え板１６を設ける固定手段、或いはこれらを併用する固定手段等が採用できるがこれに限られず、上記蓋体３の開閉に伴って伸縮が可能な状態に固定することができれば良い。
【００１９】
図１に示す実施例に於いて、揮散紙４は全体的に長方形状をなし、折曲部１４に於いて等間隔にジグザクに折り畳んで形成しており、本体２内に掛け渡した支持板１５上に一端部を載置し、本体周壁６内面より突設した押え板１６により固定している。また、他端部は蓋体３の頂壁１０裏面に、頂壁１０裏面より突設した押え板１６により表面を固定し、押え板１６の相対する縁部を頂壁１０裏面より突設したフック１７により係止している。また、裏面は容器体口頸部（図示せず）内より突設した吸い上げ芯（図示せず）上端を当接させて容器体内の液を吸収できる如く構成している。
【００２０】
この様な揮散紙４は上記維持機構ａの存在と相俟って、より変化に富んだ液の揮散量変化を行える。即ち、蓋体３の開閉角度が小さい状態での開蓋では、本体２と、蓋体３との開口面積も小さくまた、折り畳まれた揮散紙４の伸びも小さいため揮散量は少なく、開閉角度が大きくなるにつれてそれらが大きくなるため、揮散量も大きくなる。尚、蓋体の開閉角度が大きくなれば揮散量も大きくなるのは従来品と同様であるが、本発明では揮散紙４に吸収される揮散液の量が従来品と比較して大量であるため、その変化は従来品と比較して大となる。
【００２１】
図３は他の実施例を示し、本実施例では別形態の揮散紙４を用いた例を示す。本実施例に於ける揮散紙４は、折曲方向が上記実施例の場合と相違し、左右方向に走る折曲部１４において折り畳んでおり、また、一端部を本体周壁６より突設した複数のフック１７により係止しており、他端部は帯片１８を突設して、この帯片１８を蓋体頂壁１０裏面の一対のフック１７間に嵌着固定している。また、折曲部１４の数も２箇所としている。
【００２２】
尚、上記各実施例では本体２と蓋体３とを別体に形成した例を示しているが、これに限られず、本体２と蓋体３とを一体に形成しても良い。その場合には、維持機構ａとして別の構造のものを採用する。図示しないで一例を挙げれば、蓋体下面から、間隔をあけて複数の係止突部を突設した棒状突起を一体に突設し、一方、本体に各係止突部が係合する係合部を設けて、各係止突部を係合部に順次係合可能に構成しても良いし、その他の構造であっても良い。
【００２３】
【発明の効果】
以上説明した如く本発明揮散液用容器は、既述構成としたことにより、揮散液量の調整が必要に応じて簡単な操作により多段階に行えるものであり、しかも、構造は特別複雑化したものではなく簡単で、製造も容易である等の効果を発揮するものである。
【００２４】
また、上記蓋体３を上記本体２に対して回動可能に連結する部位に於いて、正多角柱状の軸１２と、該軸１２外周に相対回動が可能に嵌合させるとともに、軸１２外周面と相似する正多角柱状の嵌合内面を有する開環状の軸受１３とで構成した維持機構を設けたものにあっては、蓋体３の所定角度開蓋状態の維持をより確実に行える利点を兼ね備えている。
【図面の簡単な説明】
【図１】本発明の一実施例を示す斜視図である。
【図２】同実施例の維持手段の部分を示す要部縦断面図である。
【図３】本発明の他の実施例を示す斜視図である。
【符号の説明】
２…本体，３…蓋体，４…揮散紙，１２…軸，１３…軸受，Ａ…容器体，
Ｂ…キャップ，ａ…維持機構
【図１】
2004121314.tif 000003
【図２】
2004121314.tif 000004
【図３】
2004121314.tif 000005